(57)【要約】【課題】  遊技盤内方に保留装置の特に保留部を埋め込む形で配置すると共に、所定数の遊技球を保留した状態から当該保留球を全て一斉に落下させ得るように構成した遊技機及びその遊技盤を提供する。【解決手段】  パチンコ機１は、遊技盤７に打ち出された遊技球Ｂａのうちの所定数を一旦保留した後放出する保留装置２５を遊技領域７ａの一側に備えている。保留装置２５は、遊技盤７の表面から裏面側に後退し且つ所定数の遊技球Ｂａを保留し得る保留部５０と、該保留部５０に所定数の遊技球Ｂａを一旦保留した後、入賞口４８に向けて一斉に放出するための放出規制部材５５とを備えている。【選択図】      図１
2006109973.tif 000002
【特許請求の範囲】
【請求項１】
遊技盤に、大当たり抽選実行の契機となり得る入賞が行われる始動入賞口と、大当たり抽選の結果を表示する図柄表示装置と、大当たり抽選に関与しない入賞が行われる入賞口とを備える遊技機であって、
前記遊技盤に打ち出された遊技球のうちの所定数を一旦保留した後放出する保留装置を遊技領域の一側に備え、
前記保留装置は、前記遊技盤の表面から裏面側に後退した状態で前記所定数の遊技球を保留し得る保留部と、該保留部に所定数の遊技球を一旦保留した後、前記入賞口に向けて一斉に放出するための放出規制部材とを備える、
ことを特徴とする遊技機。
【請求項２】
前記保留部が、内部に保留した遊技球を視認可能に透過する透明部材からなり、
前記保留部の前側には、該保留部を視認可能に透過する透明板が配置されてなる、
ことを特徴とする請求項１に記載の遊技機。
【請求項３】
前記保留装置が、前記遊技盤に露出した形で前記保留部に連通する開口部と、該開口部を開閉させる蓋体とを備えてなる、
ことを特徴とする請求項１又は２に記載の遊技機。
【請求項４】
前記遊技盤に打ち出された遊技球を通過させるスルーゲートと、
前記スルーゲートでの遊技球通過を契機として前記放出規制部材を開放させるための規制部材制御手段とを更に備える、
ことを特徴とする請求項１ないし３のいずれか１項に記載の遊技機。
【請求項５】
大当たり抽選実行の契機となり得る入賞が行われる始動入賞口と、大当たり抽選の結果を表示する図柄表示装置と、入賞に対応した賞球を行うための入賞口とを備える遊技盤であって、
所定数の遊技球を一旦保留した後放出する保留装置を遊技領域の一側に備え、
前記保留装置は、盤面からその裏面側に後退し且つ前記所定数の遊技球を保留し得る保留部と、該保留部に所定数の遊技球を一旦保留した後、前記入賞口に向けて一斉に放出する放出規制部材とを備える、
ことを特徴とする遊技盤。
【請求項６】
前記保留部が、内部に保留した遊技球を視認可能に透過する透明部材からなり、
前記保留部の前側には、該保留部を視認可能に透過する透明板が配置されてなる、
ことを特徴とする請求項５に記載の遊技盤。
【請求項７】
前記保留装置が、盤面から露出した形で前記保留部に連通する開口部と、該開口部を開閉させる蓋体とを備えてなる、
ことを特徴とする請求項５又は６に記載の遊技盤。
【請求項８】
遊技球を通過させるスルーゲートと、
前記スルーゲートでの遊技球通過を契機として前記放出規制部材を開放させるための規制部材制御手段とを更に備える、
ことを特徴とする請求項５ないし７のいずれか１項に記載の遊技盤。
【発明の詳細な説明】
【技術分野】
【０００１】
本発明は、パチンコ機等の遊技機及びその遊技盤に関し、詳しくは、入賞口に連続的に入賞させることにより遊技性に多彩な変化をもたらし得るようにした遊技機及びその遊技盤に関する。
【背景技術】
【０００２】
一般に、遊技機、例えばパチンコ機として、球受け皿に滞留している遊技球が、発射ハンドルの操作に応じて遊技盤上に打ち出された後、遊技盤面上の障害釘や風車等に導かれつつ盤面を流下して、各種入賞口に入球し、或いは入球せずに遊技盤下部のアウト口に流入するように構成されたもの（所謂フィーバー機：以下、「第１種特別電動役物」と言う）が知られている（例えば、特許文献１参照）。
【０００３】
このようなパチンコ機では、一般入賞口に入球した際にそれに対応した個数の遊技球が払い出され、また始動チャッカー（始動入賞口）に入賞した際にはこれに基づいて大当たり抽選が行われると共に所定数の遊技球が払い出され、当該抽選の結果に応じて、遊技盤の中央部分に設けられた液晶等からなる図柄表示装置の画面上で所定の演出表示が行われる。大当たりの発生時には、アタッカーと呼ばれる大入賞口が開放し、入球に対応して多量の遊技球が払い出される状態となる。
【０００４】
一方、遊技域に特定入賞口と始動口と変動入賞装置を設け、特定入賞口への遊技球の入賞をもとに所定の条件が成立したときに、特別遊技の権利を発生させ、当該権利発生中に始動口に入賞した時点で変動入賞装置を遊技者に有益となる開放状態にして、入賞率の高い特別遊技を行わせるパチンコ機（所謂権利モノ：以下、「第３種特別電動役物」と言う）も存在する。
【０００５】
上記第３種特別電動役物では、始動口の入賞率が低い場合、特別遊技の権利が発生したとしても特別遊技への移行が難しく、特別遊技に移行するまでに持ち球を無くしたり、特別遊技を行っても再び特別遊技に移行するまでに獲得球が減少したりする虞があった。また逆に、始動口の入賞率が高くなってしまった場合には、特別遊技をそれほどの回数行わないうちに特定入賞口に再び入賞し、権利が折角発生したにも拘わらず特別遊技を充分に楽しまないうちにその権利が消滅する虞もあった。しかし、入賞率は始動口の命釘等の調整具合で決まるため、状況に応じて釘調整を行う必要があるが、当該釘調整は熟練を要するものであり、的確な調整は困難とされていた。
【０００６】
そこで、遊技域から導入口に進入した遊技球を保留し且つ当該保留球を開閉手段を介して球解放口から遊技域に放出する保留装置を始動口の直上方に配置し、保留装置の保留球が開閉手段を経て球解放口から遊技域に放出された際、直下方の始動口に高確率で入賞できるように構成したパチンコ機が案出されている（例えば、特許文献２参照）。
【０００７】
しかし、上記特許文献２に記載されるパチンコ機によると、特別遊技の権利発生時に始動口に対し、保留装置に保留した保留球を、開閉手段を介してタイミング良く入賞することができる。従って、始動口への入賞球を徒に増加させることなく、特別遊技を効率良く繰り返し行う可能性が高まるのであるが、当該パチンコ機の遊技の性質上、保留装置に保留した遊技球を連続的に入賞させることはできず、当該始動口の電動チューリップが開放した瞬間に遊技球を１個ずつ落下させて入賞させるのみであった。そのため、保留装置に折角複数の遊技球を保留しているにも拘わらず、上記のように１個ずつの入賞のため、賞球時の迫力に欠ける面があることは否めず、従って、遊技者に与える爽快感にやや不満が残ることは否めなかった。
【０００８】
また、保留装置に複数の遊技球を保留した状態で放出扉を開放することにより、当該保留球を、皿状の振分役物に形成された７個の開口部からなる通常入賞領域及び特定入賞領域に対し一斉に放出するように構成したパチンコ機も案出されている（例えば、特許文献３参照）。
【０００９】
【特許文献１】特開２００３−２３６２１０号公報
【特許文献２】特開平０５−００３９４５号公報
【特許文献３】特開２００１−３３４０４１号公報
【発明の開示】
【発明が解決しようとする課題】
【００１０】
しかし、上記特許文献３に記載されるパチンコ機では、複数の保留球が保留装置から一斉に放出されるものの、それら遊技球は実際には、皿状の振分役物に対して放出された後、該振分役物上を転動しながら何れかの開口部に導入され、その結果として、放出遊技球の個数に対応するだけの賞球が得られていた。このため、当該特許文献３に記載のパチンコ機にあっても、上記特許文献２に記載のパチンコ機と同様、保留球放出時における賞球状況の迫力に欠ける面があることは否めず、遊技者に与える爽快感にやや不満が残る虞があった。
【００１１】
また、上記特許文献３に記載されるパチンコ機にあっては、保留装置が遊技盤の遊技領域の中央上部に配置されると共に、該保留装置から放出される複数の遊技球を受ける振分役物を備えた役物領域が上記遊技領域の中央部分に配置されており、遊技領域に備えるべき他の役物等の設置スペースが狭くなり、これに伴い、弾球遊技に寄与すべき遊技スペースも狭くなる等の不都合があった。
【００１２】
そこで本発明は、保留装置を、所定数の遊技球を保留した状態から当該保留球を或る入賞口に向けて全て一斉に放出するように構成すると共に、遊技盤内方に当該保留装置の特に保留部を埋め込む形で配置するように構成し、もって上述した課題を解決した遊技機及びその遊技盤を提供することを目的とするものである。
【課題を解決するための手段】
【００１３】
請求項１に係る本発明は（例えば図１ないし図９参照）、遊技盤（７）に、大当たり抽選実行の契機となり得る入賞が行われる始動入賞口（１６）と、大当たり抽選の結果を表示する図柄表示装置（４７）と、大当たり抽選に関与しない入賞が行われる入賞口（４８）とを備える遊技機（１）であって、
前記遊技盤（７）に打ち出された遊技球（Ｂａ）のうちの所定数を一旦保留した後放出する保留装置（２５）を遊技領域（７ａ）の一側に備え、
前記保留装置（２５）は、前記遊技盤（７）の表面から裏面側に後退した状態で前記所定数の遊技球（Ｂａ）を保留し得る保留部（５０）と、該保留部（５０）に所定数の遊技球（Ｂａ）を一旦保留した後、前記入賞口（４８）に向けて一斉に放出するための放出規制部材（５５）とを備える、
ことを特徴とする遊技機（１）にある。
【００１４】
請求項２に係る本発明は（例えば図１ないし図５参照）、前記保留部（５０）が、内部に保留した遊技球（Ｂａ）を視認可能に透過する透明部材からなり、
前記保留部（２５）の前側には、該保留部（５０）を視認可能に透過する透明板（４６）が配置されてなる、
ことを特徴とする請求項１に記載の遊技機（１）にある。
【００１５】
請求項３に係る本発明は（例えば図１ないし図５参照）、前記保留装置（２５）が、前記遊技盤（７）に露出した形で前記保留部（５０）に連通する開口部（５７）と、該開口部（５７）を開閉させる蓋体（５３）とを備えてなる、
ことを特徴とする請求項１又は２に記載の遊技機（１）にある。
【００１６】
請求項４に係る本発明は（例えば図８及び図９参照）、前記遊技盤（７）に打ち出された遊技球（Ｂａ）を通過させるスルーゲート（６０）と、
前記スルーゲート（６０）での遊技球通過を契機として前記放出規制部材（５５）を開放させるための規制部材制御手段（６１）とを更に備える、
ことを特徴とする請求項１ないし３のいずれか１項に記載の遊技機（１）にある。
【００１７】
請求項５に係る本発明は（例えば図１ないし図９参照）、大当たり抽選実行の契機となり得る入賞が行われる始動入賞口（１６）と、大当たり抽選の結果を表示する図柄表示装置（４７）と、入賞に対応した賞球を行うための入賞口（４８）とを備える遊技盤（７）であって、
所定数の遊技球（Ｂａ）を一旦保留した後放出する保留装置（２５）を遊技領域（７ａ）の一側に備え、
前記保留装置（２５）は、盤面からその裏面側に後退し且つ前記所定数の遊技球（Ｂａ）を保留し得る保留部（５０）と、該保留部（５０）に所定数の遊技球（Ｂａ）を一旦保留した後、前記入賞口（４８）に向けて一斉に放出する放出規制部材（５５）とを備える、
ことを特徴とする遊技盤（７）にある。
【００１８】
請求項６に係る本発明は（例えば図１ないし図５参照）、前記保留部（５０）が、内部に保留した遊技球（Ｂａ）を視認可能に透過する透明部材からなり、
前記保留部（５０）の前側には、該保留部（５０）を視認可能に透過する透明板（４６）が配置されてなる、
ことを特徴とする請求項５に記載の遊技盤（７）にある。
【００１９】
請求項７に係る本発明は（例えば図１ないし図５参照）、前記保留装置（２５）が、盤面から露出した形で前記保留部（５０）に連通する開口部（５７）と、該開口部（５７）を開閉させる蓋体（５３）とを備えてなる、
ことを特徴とする請求項５又は６に記載の遊技盤（１）にある。
【００２０】
請求項８に係る本発明は（例えば図８及び図９参照）、遊技球（Ｂａ）を通過させるスルーゲート（６０）と、
前記スルーゲート（６０）での遊技球通過を契機として前記放出規制部材（５５）を開放させるための規制部材制御手段（６１）とを更に備える、
ことを特徴とする請求項５ないし７のいずれか１項に記載の遊技盤（７）にある。
【００２１】
なお、上記カッコ内の符号は、図面と対照するためのものであるが、これは、発明の理解を容易にするための便宜的なものであり、特許請求の範囲の構成に何等影響を及ぼすものではない。
【発明の効果】
【００２２】
請求項１に係る本発明によると、遊技盤に打ち出された遊技球のうちの所定数を一旦保留した後放出する保留装置が、遊技領域の一側に配置され、遊技盤の表面から裏面側に後退し且つ所定数の遊技球を保留し得る保留部と、該保留部に所定数の遊技球を一旦保留した後、入賞口に向けて一斉に放出するための放出規制部材とを備えるので、遊技領域の一側に配置され且つ遊技盤から後退して遊技に支障にならない状態の保留部に所定数の遊技球を保留しつつ、当該所定数の遊技球を放出規制部材の作動で入賞口に向け一斉に放出して入賞させることができる。このため、遊技領域に備えるべき他の役物等の設置スペース、及び弾球遊技に寄与すべき遊技スペースを拡大することができると共に、所定数分に対応する賞球を、爽快感をもって一気に得ることができるようになる。
【００２３】
請求項２に係る本発明によると、保留部が、内部に保留した遊技球を視認可能に透過する透明部材からなり、保留部の前側に、保留部を視認可能に透過する透明板が配置されるので、遊技中、遊技者は透明板を通して、内部を透過させている保留部内の遊技球を視認しつつ、或るタイミングで一斉に放出されて入賞する遊技球を見ながら爽快感を得ることができる。これにより、遊技上の興趣が大幅に向上する。
【００２４】
請求項３に係る本発明によると、保留装置が、遊技盤に露出した形で保留部に連通する開口部と、該開口部を開閉させる蓋体とを備えるので、例えば蓋体の開閉動作を適時制御するだけで、開口部から遊技球を容易に保留部に導き、所定数（例えば５個）の遊技球を容易に受け入れることができる。
【００２５】
請求項４に係る本発明によると、遊技盤に打ち出された遊技球を通過させるスルーゲートと、スルーゲートでの遊技球通過を契機として放出規制部材を開放させるための規制部材制御手段とを更に備えるので、遊技者による所謂止め打ちを回避して、遊技場（ホール）での稼働が低下するデメリットを可及的に抑えることができる。これは即ち、保留装置が無い従来タイプの第１種特別電動役物にあっては、大当たり抽選に寄与する保留球が一杯になった時点でそれ以上の打ち出しを止める所謂止め打ちが一般的に行われているが、本遊技機によると、保留球が一杯になった状態であっても遊技者はスルーゲートを狙って打ち出しを続けるようになるからである。
【００２６】
請求項５に係る本発明によると、所定数の遊技球を一旦保留した後放出する保留装置が、遊技領域の一側に配置され、盤面からその裏面側に後退し且つ所定数の遊技球を保留し得る保留部と、該保留部に所定数の遊技球を一旦保留した後、入賞口に向けて一斉に放出する放出規制部材とを備えるので、遊技領域の一側に配置され且つ盤面から後退して遊技に支障にならない状態の保留部に所定数の遊技球を保留しつつ、当該所定数の遊技球を放出規制部材の作動で入賞口に向け一斉に放出して入賞させることができる。このため、遊技領域に備えるべき他の役物等の設置スペース、及び弾球遊技に寄与すべき遊技スペースを拡大することができると共に、所定数分に対応する賞球を、爽快感をもって一気に得ることができるようになる。
【００２７】
請求項６に係る本発明によると、保留部が、内部に保留した遊技球を視認可能に透過する透明部材からなり、保留部の前側に、保留部を視認可能に透過する透明板が配置されるので、遊技中、遊技者は透明板を通して、内部を透過させている保留部内の遊技球を視認しつつ、或るタイミングで一斉に放出されて入賞する遊技球を見ながら爽快感を得ることができる。これにより、遊技上の興趣が大幅に向上することになる。
【００２８】
請求項７に係る本発明によると、保留装置が、盤面から露出した形で保留部に連通する開口部と、該開口部を開閉させる蓋体とを備えるので、蓋体の開閉動作を適時制御するだけで、開口部から遊技球を容易に保留部に導き、所定数（例えば５個）の遊技球を容易に収容することができる。
【００２９】
請求項８に係る本発明によると、遊技球を通過させるスルーゲートと、スルーゲートでの遊技球通過を契機として放出規制部材を開放させるための規制部材制御手段とを更に備えるので、遊技者による所謂止め打ちを回避して、遊技場（ホール）での稼働が低下するデメリットを可及的に抑えることができる。これは即ち、保留装置が無い従来タイプの第１種特別電動役物にあっては、大当たり抽選に寄与する保留球が一杯になった時点でそれ以上の打ち出しを止める所謂止め打ちが一般的に行われているが、本遊技盤によると、保留球が一杯になった状態であっても遊技者はスルーゲートを狙って打ち出しを続けるようになるからである。
【発明を実施するための最良の形態】
【００３０】
以下、本発明に係る遊技機及び遊技盤の実施形態として、遊技場等に設置されるパチンコ機及びその遊技盤を図１ないし図９に沿って説明する。
【００３１】
なお、図１は本発明の第１の実施形態におけるパチンコ機の外部構造を示す正面図、図２は本パチンコ機から遊技盤を単体で分離した状態で示す正面図、図３は遊技盤に備えた保留装置を拡大して示す正面図、図４は遊技盤に埋め込まれた形の保留装置を示す側面断面図、図５は遊技球放出状態の保留装置を示す側面断面図、図６は本パチンコ機の制御系を示すブロック図、図７は本パチンコ機による作動を説明するためのフローチャートである。また、図８は本発明に係る第２の実施形態におけるパチンコ機の外部構造を示す正面図、図９は第２実施形態におけるパチンコ機の制御系を示すブロック図である。なお、後述する遊技盤の遊技領域には多数の障害釘や複数の風車等が植設されているが、図１、図２及び図８においてそれらは便宜上図示を省略している。また図２において、図１に示すガイドレール６２は便宜上図示を省略している。
【００３２】
本パチンコ機１は、発射ハンドル９の操作による発射装置（図示せず）の作動で遊技球（所謂パチンコ玉）を遊技盤７の遊技領域７ａに向かって打ち出しつつ遊技を行うもので、所謂確率変動等の大当たりが発生した状態でアタッカー（大入賞口）１７に入球した遊技球に対応する数の遊技球を払い出すように構成されている。上記確率変動当たり（「確変当たり）とも言う）とは、抽選の結果、確変モードの大当たりが当選したとき、少なくとも当該確変モードによる遊技状態において次なる大当たりを引くまでの間、遊技者に有利な付加価値を付与し得る特殊状態を意味する。これに対し、当該特殊状態にならない大当たりとして「通常当たり」がある。
【００３３】
図１に示すように、本実施形態におけるパチンコ機１は、開口を有する枠体状の筐体２と、この筐体２に開閉可能に装着された前扉３とを有しており、前扉３の前面には、透明ガラス（図示せず）を有するガラス枠５が開閉可能に取り付けられている。透明ガラスの奥側には、遊技盤７が配置されている。前扉３における遊技盤７の左右上方には演出用照明装置１０が配置されており、前扉３における遊技盤７の下方左部にはスピーカ（図示せず）を有する放音装置８が配置されている。また、ガラス枠５における右側部には、前扉３を筐体２側に施錠又は解放するための施錠装置４が配置されている。なお、筐体２及び前扉３等から遊技機本体が構成されている。
【００３４】
前扉３における遊技盤７の下方には上皿１３が設けられており、上皿１３における左上部には、賞球及び貸球を含む遊技球が供給される球供給口１８が設けられ、上皿１３における右上部壁面には、球貸ボタン１４ａ及びプリペイドカード返却ボタン１４ｂが設けられている。
【００３５】
また、前扉３における上皿１３の下方には下皿１５が配置されており、該下皿１５の左部には、不図示の球発射装置を操作して遊技球を遊技領域７ａに向けて打ち出すための発射ハンドル９が設けられている。更に、下皿１５の球収容部１５ａには、上皿１３からオーバーフローした遊技球が放出される球放出口１９が形成されており、下皿１５の左部には灰皿２４が配置されている。
【００３６】
なお、図１中の符号６２は、発射ハンドル９の操作で発射された遊技球を遊技盤７の遊技領域７ａに導くガイドレールを示し、符号２２はアウト口を示している。また、本パチンコ機１には、遊技中に遊技領域３ａにて入賞することなく落下してアウト口２２に入り込んだ遊技球をパチンコ機背面側に導くアウト球通路（図示せず）が設けられている。
【００３７】
遊技盤７の遊技領域７ａには、図１及び図２に示すように、中央部分に図柄表示装置４７が配設されており、該図柄表示装置４７の上部左右及び下部左右には、大当たり抽選に関与しない一般の入賞が行われる入賞口２７，２８，２９，４８が配設されている。図柄表示装置４７の下方には、始動チャッカー（始動入賞口）１６と、アタッカー１７とが順次配設されている。始動チャッカー１６は、後述の第１抽選手段３３による大当たり抽選実行の契機となり得る入賞が行われる役物であり、アタッカー１７は、大当たり発生時に開放され、遊技盤７の遊技領域７ａに打ち出されて転動落下する遊技球Ｂａを入賞させる役物である。アタッカー１７は、大当たり発生中、１回の開放で１０個の入球を完了した時点で閉じ、当該開閉動作を１５回繰り返すように構成されている。なお、これらの入球数並びに開閉動作の回数は、１０個や１５回に限定されることはなく、必要に応じて適宜設定され得るものである。
【００３８】
図１における図柄表示装置４７の右方、即ち遊技領域７ａの一側においての入賞口４８の上部には、遊技盤７に打ち出された遊技球Ｂａのうちの所定数（本実施形態では５個）を一旦保留した後、これら遊技球Ｂａを全て入賞口４８に一斉に放出して入賞させるように構成された保留装置２５が配設されている。
【００３９】
保留装置２５は、図２ないし図４に示すように、遊技球Ｂａを受け入れる遊技球導入部５２を最上部に有しており、該遊技球導入部５２の前部には、遊技盤７に露出した形で遊技球導入部５２及び保留部５０に連通する開口部５７と、「予め設定された或る条件の成立」を契機として開放又は閉塞させ得るようにヒンジ５３ａを介して枢着された蓋体５３とが配設されている。
【００４０】
保留装置２５は、遊技球導入部５２の内部傾斜面５２ａを介して開口部５７に連通する上記保留部５０と、この保留部５０に遊技球Ｂａが既に５個保留されている状態で開口部５７から入球した遊技球Ｂａを遊技盤７背面側に排出する排出口５１と、保留部５０内方で開閉動作するようにヒンジ５５ａを介して枢支された放出規制弁（放出規制部材）５５とを備えている。
【００４１】
保留部５０は、遊技盤７の表面（つまり盤面）から裏面側に後退した状態にて、最大で５個の遊技球Ｂａを保留し得るように上記放出規制弁５５によって下部側を仕切られるようになっており、進入した遊技球Ｂａを、若干量の隙間をあけるだけで内部空間５０ａに安定して収容し得るような内径（例えば１２〜１３ｍｍ）を有する円筒状に構成されている。また、遊技球導入部５２の前側上部には、蓋体５３が閉塞位置（図５に示す状態）にあるときその旨の検知信号を主基板３０に出力する蓋体検知センサ５８が配設されている。
【００４２】
保留部５０は、上記構成により、放出規制弁５５の閉塞状態にて最大で５個の遊技球Ｂａを一旦保留した後、放出規制弁５５の開放動作でこれら遊技球Ｂａの全てを入賞口４８に向けて一斉に放出するように機能する。保留部５０は、内部に保留した遊技球Ｂａを視認可能に透過する透明部材からなり、その前側には、当該保留部５０を視認可能に透過する透明板４６が配置されている。透明部材や透明板４６の材料として、例えばガラス材、アクリル系樹脂、ポリカーボネート系樹脂を挙げることができる。
【００４３】
なお、上記透明部材や透明板４６の透明状態は、保留部５０内の遊技球Ｂａ或いは透明板４６裏面の保留部５０を完全に透過した状態で視認し得ることのみを意味する概念ではなく、遊技球Ｂａの存在等が分かる程度の所謂半透明の状態をも含む概念である。また、本実施の形態では、保留装置２５によって一旦保留できる最大個数を５個として説明するが、保留可能な球数はこれに限定されるものではなく、例えば４個以下、或いは６個以上として適宜設定することが可能なものである。
【００４４】
また保留装置２５は、保留部５０の下方に備えた放出規制弁５５に対向する位置から前方に屈曲して透明板４６の表面に突出した後、下方に屈曲して入賞口４８上部の障害釘５６間の空隙５６ａに対向する開口５４ａを備えた放出案内路５４を具備している。開口５４ａは、障害釘５６の上部側から例えば１２〜１３ｍｍの距離をあけて位置している。
【００４５】
ここで、放出規制弁５５を開放又は閉塞させる上記「予め設定された或る条件の成立」に関して説明する。即ち、開放実現のために成立すべき「或る条件」としては、
(a)入賞口２７，２８，２９のうちの入賞口２９への入賞があった場合、
(b)「５-７-９」「１-５-７」等のような所謂ぞろ目ではない、予め設定された数字の組合わせが図柄抽選に当選して図柄表示装置４７の画面上に表示された場合、
(c)放出規制弁５５が閉塞した状態で蓋体５３が閉じてから或る一定の時間（例えば５〜１０分）が経過した場合、
(d)第１抽選手段３３での大当たり抽選に当選し、これに対応する内容を図柄表示装置４７に表示する場合、を挙げることができる。なお、本実施形態では、条件(a)を、入賞口２９への入賞があった場合として説明するが、これに限らず、入賞口２７への入賞や入賞口２８への入賞を上記条件となるように設定することもできる。
【００４６】
また、閉塞実現のために成立すべき「或る条件」としては、最大で５個の遊技球Ｂａが全て放出規制弁５５の位置を通過して自重落下を完了するに要する落下完了時間（例えば０．５〜１．０秒）を経過した場合である。この時間経過の有無は、不図示のタイマによる計測に基づき、後述する作動判定手段３８が判定し、これを受けて作動決定手段３９が規制弁開閉ソレノイド４０の作動開始を決定する。
【００４７】
一方、蓋体５３は、作動判定手段３８の判定及び作動決定手段３９の決定に従う作動制御手段３７が放出規制弁５５を閉塞する際、当該閉塞の直後に作動制御手段３７によって開放され、また作動制御手段３７が放出規制弁５５を開放する際には、当該開放の直前に当該作動制御手段３７によって閉塞される。
【００４８】
次に、本実施形態におけるパチンコ機１の制御系を図６に沿って説明する。すなわち、本制御系は、主基板３０と、この主基板３０に接続されたサブ基板４２とを備えている。主基板３０は、本パチンコ機１の動作全体を統括的に管理するものであり、当該パチンコ機１の動作全体を管理するシステムプログラム及び遊技用の実行プログラムが予め記憶された半導体メモリ等からなる記憶部（図示せず）と、これらのプログラムを実行する不図示のマイクロプロセッサ（ＭＰＵ）とを備えている。
【００４９】
主基板３０は、入賞判定手段３１、入賞信号出力手段３２、第１抽選手段３３、第２抽選手段３４、遊技制御手段３５、保留手段３６、作動制御手段３７、作動判定手段３８、及び作動決定手段３９を備えている。また主基板３０には、蓋体開閉ソレノイド６４、規制弁開閉ソレノイド４０、始動チャッカー開閉ソレノイド４５、アタッカー開閉ソレノイド４１、蓋体検知センサ５８、及び規制弁検知センサ６５が接続されている。
【００５０】
入賞判定手段３１は、発射ハンドル９の操作で作動する発射装置（図示せず）によって遊技領域７ａに打ち出された遊技球が始動チャッカー１６や入賞口２７，２８，２９の何れかに入賞したとき、当該入賞があった旨を判定する。また入賞判定手段３１は、入賞口４８への入賞時にも当該入賞があった旨を判定する。
【００５１】
入賞信号出力手段３２は、入賞判定手段３１によって入賞が判定されたとき、対応する始動チャッカー１６や入賞口２７，２８，２９，４８に入賞した旨の入賞信号を出力する。
【００５２】
第１抽選手段３３は、入賞信号出力手段３２からの入賞信号の入力時、最大保留球数（例えば４個）未満での入賞を契機として、次なる大当たりを当選させるまで遊技者に有利な付加価値を付与し得る特殊状態となる確率変動当たり、及び上記特殊状態とならない通常当たりのうちの何れか一方に当選するように、不図示の抽選用メモリから当たり当選乱数値を取得して、大当たり抽選を実行する。
【００５３】
第２抽選手段３４は、第１抽選手段３３での大当たり抽選で確変当たりに当選した場合、不図示の演出用メモリに格納された演出乱数値に基づく抽選で、変動の結果、確変当たりに対応する「１１１」、「３３３」や「７７７」等の図柄が大当たり有効ライン上で最終的に揃う旨の変動パターンを決定し、その旨の変動パターンコマンドを出力する。なお、上記「大当たり有効ライン」は、大当たりを得るため図柄が一列に並ぶべき位置（ライン）を意味する。第２抽選手段３４はまた、第１抽選手段３３での大当たり抽選で通常当たりが当選した場合、演出乱数値に基づく抽選で、変動の結果、通常当たりに対応する「２２２」、「４４４」や「８８８」等の図柄が大当たり有効ライン上で最終的に揃う旨の変動パターンを決定し、この変動パターンコマンドを出力する。第２抽選手段３４はまた、第１抽選手段３３での大当たり抽選で外れた場合、演出乱数値に基づく抽選で、変動の結果、外れに対応する「２５２」、「４６４」や「８３８」等の図柄が大当たり有効ライン上で最終的に揃う旨の変動パターンを決定し、この変動パターンコマンドを出力する。
【００５４】
遊技制御手段３５は、予め設定された演出データや第２抽選手段３４での抽選結果に応じて、図柄表示装置４７に表示すべき演出内容に関する信号を、制御コマンドと共にサブ基板４２の表示制御手段４４に送信する。
【００５５】
保留手段３６は、第２抽選手段３４から出力された変動パターンコマンドを入力し、始動チャッカー１６への入賞の都度に行われた抽選の結果となる保留球として順次記憶する。当該記憶状況は、図柄表示装置４７に備えた保留球表示部（図示せず）に、例えば最大４個の保留球として点灯表示される。保留手段３６は、例えば保留球数Ｈが０＜Ｈ＜５であるか否かを常時判定し、保留球数Ｈが４個表示されている間は、始動チャッカー１６への入賞に拘わらず大当たり抽選は行わない。なお、保留球として点灯表示される保留球数は上記「最大４個」に限らず、例えば３個以下、又は５個以上として適宜設定することも可能である。
【００５６】
そして保留手段３６は、保留（記憶）している変動パターンコマンドを順次表示制御手段４４に送信し、この送信した変動パターンコマンドに基づく演出表示が終了するまでは次の変動パターンコマンドを送信しないようにするための図柄変動禁止フラグを立てる（オンする）と共に、当該オンした図柄変動禁止フラグを解除する時間を計測するための図柄変動タイマ（図示せず）をセットし、変動パターンコマンドの送信に応じて保留球数を１デクリメントする。また保留手段３６は、保留球の消費に応じて保留球数ＨがＨ＜４となった場合、第１抽選手段３３で行われる始動チャッカー１６への入賞に応答した大当たり抽選の結果を保留球として記憶し、保留球数を１インクリメントする。
【００５７】
作動制御手段３７は、後述する作動決定手段３９の作動開始決定の旨の信号に基づき、蓋体開閉ソレノイド６４に駆動信号を送って該ソレノイド６４を作動させて蓋体５３を開放又は閉塞動作させ、また、規制弁開閉ソレノイド４０に駆動信号を送って該ソレノイド４０を作動させて放出規制弁５５を開放又は閉塞動作させる。また作動制御手段３７は、作動決定手段３９の作動開始決定の旨の信号に基づき、始動チャッカー開閉ソレノイド４５に駆動信号を送って該ソレノイド４５を作動させて始動チャッカー１６を開放又は閉塞動作させる。更に作動制御手段３７は、アタッカー開閉ソレノイド４１に駆動信号を送って該ソレノイド４１を作動させ、第１抽選手段３３での抽選による大当たり発生時にアタッカー１７を開放して所定数入賞が終了する（又は所定時間が経過する）毎に閉塞する動作を所定回数（所定ラウンド）だけ繰り返すように制御する。
【００５８】
作動判定手段３８は、蓋体開閉ソレノイド６４、規制弁開閉ソレノイド４０、始動チャッカー開閉ソレノイド４５、アタッカー開閉ソレノイド４１を作動させるための条件を満たすか否かを判定する。蓋体開閉ソレノイド６４にあって、蓋体５３の開放時の「条件を満たす」時とは、例えば、規制弁検知センサ６５の検知に基づいて放出規制弁５５の閉塞が検出された場合であり、蓋体５３の閉塞時の「条件を満たす」時とは、例えば、放出規制弁５５の開放動作の直前と判定された場合である。規制弁開閉ソレノイド４０にあって、放出規制弁５５の開放時の「条件を満たす」時とは、例えば、前述した条件（ａ）〜（ｄ）の成立時であり、放出規制弁５５の閉塞時の「条件を満たす」時とは、例えば、上述した落下完了時間を経過した場合である。
【００５９】
また、始動チャッカー開閉ソレノイド４５にあって、始動チャッカー１６の開閉時の「条件を満たす」時とは、主基板３０において第１抽選手段３３の大当たり抽選とは別途行われる抽選で当選した場合である。アタッカー開閉ソレノイド４１にあって、アタッカー１７の開放時の「条件を満たす」時とは、所謂リーチ（所謂スーパーリーチ、ノーマルリーチを含む）の状態から３つの同じ図柄が大当たり有効ライン上で揃って大当たりが発生した場合であり、アタッカー１７の閉塞時の「条件を満たす」時とは、大当たり発生時における全ての入賞を完了した場合である。
【００６０】
作動決定手段３９は、作動判定手段３８からの判定信号を受けて、蓋体開閉ソレノイド６４、規制弁開閉ソレノイド４０、始動チャッカー開閉ソレノイド４５、アタッカー開閉ソレノイド４１の作動開始をそれぞれに決定する。
【００６１】
また蓋体開閉ソレノイド６４は、作動制御手段３７から送信された駆動信号に応答してプランジャ（図示せず）を進退動作させて、蓋体５３を開閉動作させる。
【００６２】
規制弁開閉ソレノイド４０は、作動制御手段３７から送信された駆動信号に応答してプランジャ（図示せず）を進退動作させて、放出規制弁５５を開閉動作させる。
【００６３】
始動チャッカー開閉ソレノイド４５は、作動制御手段３７から送信された駆動信号に応答してプランジャ（図示せず）を進退動作させて、始動チャッカー１６を開閉動作させる。
【００６４】
アタッカー開閉ソレノイド４１は、作動制御手段３７から送信された駆動信号に応答してプランジャ（図示せず）を進退動作させて、アタッカー１７を開閉動作させる。
【００６５】
蓋体検知センサ５８は、蓋体５３が閉塞位置（図５に示す状態）にあるときその旨の検知信号を主基板３０に出力する。
【００６６】
規制弁検知センサ６５は、放出規制弁５５が閉塞位置（図４に示す状態）と開放位置（図５に示す状態）の何れにあるかを検知してその旨の信号を主基板３０に送信する。
【００６７】
一方、サブ基板４２は、演出制御手段４３及び表示制御手段４４を有しており、サブ基板４２には、放音装置１１、演出用照明装置１０及び図柄表示装置４７が接続されている。
【００６８】
演出制御手段４３は、主基板３０中の上記マイクロプロセッサから供給される信号に従って、放音装置１１、演出用照明装置１０を適時駆動して、遊技者の視覚及び聴覚に訴える演出表示を行う。
【００６９】
表示制御手段４４は、遊技制御手段３５から送信された演出内容に関する信号に従って図柄表示装置４７を適時駆動し、大当たり抽選の結果等を遊技者の視覚に訴えるように演出表示する。
【００７０】
放音装置１１、演出用照明装置１０及び図柄表示装置４７は、上述したように各制御に応答して音、光等の発生により、通常時の演出や大当たり時における特別な演出等を行う。
【００７１】
次に、本パチンコ機１による作用について、図７のフローチャートを併せて参照しつつ説明する。
【００７２】
すなわち、本パチンコ機１に対面して着座した遊技者が発射ハンドル９を握り、適宜の角度に回動操作すると（ステップＳ１）、発射装置（図示せず）の作動によって遊技球が所定の時間間隔で遊技領域４に向けて連続的に発射される。すると、遊技盤７の遊技領域７ａに打ち出されて転動落下する多数の遊技球は、始動チャッカー１６や入賞口２７，２８，２９に適時入賞し、或いは、これらに関与せずに転動落下して、遊技領域７ａ最下部のアウト口２２から遊技盤７背面側に排出される。
【００７３】
そして、始動チャッカー１６や入賞口２７〜２９の何れかに入賞した場合、入賞判定手段３１が当該入賞を判定し、且つ入賞信号出力手段３２が入賞信号を出力する（ステップＳ２）。この際、保留手段３６は、保留球Ｈが０＜Ｈ＜５であるか否かを常時判定しており、０＜Ｈ＜５を満たすと判定したときには、保留している変動パターンコマンドを、遊技制御手段３５を介して表示制御手段４４に順次送信し、図柄変動禁止フラグをオンすると共に、図柄変動タイマをセットし、変動パターンコマンドの送信に応じて保留球数を１デクリメントする。また保留手段３６は、当該保留球の消費に応じて保留球数ＨがＨ＜４となった場合、第１抽選手段３３で行われる始動入賞口２６ａ又は２６ｂへの入賞に応じた大当たり抽選の結果を保留球として記憶し、保留球数を１インクリメントする
【００７４】
そして、大当たり抽選で当選した場合（ステップＳ３）、第１抽選手段３３が当たりフラグをオンすると、第２抽選手段３４が、演出用メモリに格納された演出乱数値に基づく抽選で、大当たりの種別、つまり確変当たり又は通常当たりに対応する変動パターンを決定する。
【００７５】
これにより、ステップＳ４において、図柄表示装置４７に表示されるべき当たり図柄がセットされ、第２抽選手段３４は、その旨の変動パターンコマンドを出力すると共に、当該変動パターンコマンドに基づく演出表示が終了するまでは次の変動パターンコマンドを送信しないようにするために図柄変動禁止フラグをオンし、当該オンした図柄変動禁止フラグを解除する時間を計測するための図柄変動タイマをセットし、変動パターンコマンドの送信に応じて保留球数を１デクリメントする。一方、大当たり抽選で外れた場合には、演出用メモリに格納された演出乱数値に基づく抽選で、変動の結果、外れに対応する図柄が最終的に揃う旨の変動パターンが決定される。これにより、図柄表示装置４７に表示される外れ図柄がセットされ、第２抽選手段３４は、その旨の変動パターンコマンドを出力すると共に、図柄変動禁止フラグをオンし、図柄変動タイマをセットし、変動パターンコマンドの送信に応じて保留球数を１デクリメントする。
【００７６】
以上のようにして、遊技制御手段３５が、図柄表示装置４７に表示すべき演出内容に関する信号を制御コマンドと共にサブ基板４２の表示制御手段４４に送信することに基づき、表示制御手段４４が、図柄表示装置４７を適時駆動し、大当たり抽選結果に関する内容等を、遊技者の視覚に訴えるように演出表示することとなる（ステップＳ５）。
【００７７】
そして、第１抽選手段３３での抽選結果が図柄表示装置４７の画面上に表れると、作動制御手段３７が、作動決定手段３９の作動開始決定の旨の信号に基づき、所定のタイミングでアタッカー開閉ソレノイド４１に駆動信号を送り、当該ソレノイド４１を作動させてアタッカー１７を開放し、所定数入賞が終了する（又は所定時間が経過する）毎に閉塞する動作を所定回数（所定ラウンド）だけ繰り返させる。これにより、アタッカー１７に入賞した遊技球に対応する多量の遊技球が球供給口１８から上皿１３に払い出されることとなる（ステップＳ６）。
【００７８】
上述した一連の遊技中、規制弁開閉ソレノイド４０の作動で放出規制弁５５が閉塞され、且つ蓋体開閉ソレノイド６４の作動で蓋体５３が開放された図４の状態において、不図示の障害釘の間を転動しつつ開口部５７に到達した遊技球Ｂａが該開口部５７に進入すると、保留装置２５の保留部５０に遊技球Ｂａが順次溜まっていき、５個目が溜まった時点から更に進入する遊技球Ｂａは、５個目の遊技球Ｂａの上部後方にて遊技盤７背面側に開口する排出口５１から排出されることとなる。
【００７９】
そして、５個の遊技球Ｂａを保留部５０に保留した保留装置２５は、入賞口２９への入賞があった場合や、予め設定された数字の組合わせが図柄抽選に当選して図柄表示装置４７の画面上に表示された場合等に、作動制御手段３７からの駆動信号に応答して放出規制弁５５を開放動作させる。これにより、図５に示すように、保留部５０に保留されていた５個の遊技球Ｂａが全て一斉に自重落下し、障害釘５６間の空隙５６ａを通って入賞口４８に入賞する。この際、場合によっては、落下する遊技球Ｂａの一部が障害釘５６に接触し弾かれて、入賞し得ないこともある。また、放出規制弁５５の開放の時点で保留部５０には遊技球Ｂａが必ずしも５個保留されているとは限らず、入賞状況によって５個未満の保留状態となっていても、開放の契機が到来した際には放出規制弁５５が逐次開放され、保留部５０内に存する遊技球Ｂａが全て一斉に落下される。
【００８０】
引き続き、作動判定手段３８が落下完了時間（例えば０．５〜１．０秒）の経過を判定し、これを受けた作動決定手段３９の作動決定に基づく作動制御手段３７からの駆動信号に応答して放出規制弁５５が閉塞作動させられ、更に該閉塞作動の直後、作動制御手段３７からの駆動信号に応答して蓋体５３が開放作動させられる。これにより、保留装置２５では、遊技領域７ａに打ち出された遊技球Ｂａを再び受け入れ得る状態となる。
【００８１】
以上説明した本実施形態によると、遊技盤７に打ち出された遊技球Ｂａのうちの例えば５個を一旦保留した後放出する保留装置２５が、遊技領域７ａの右方（一側）に配置され、遊技盤７の表面から裏面側に後退し且つ例えば５個の遊技球Ｂａを保留し得る保留部５０と、該保留部５０に例えば５個の遊技球Ｂａを一旦保留した後、入賞口４８に向けて一斉に放出するための放出規制弁５５とを備えるので、遊技領域７ａの一側に配置され且つ遊技盤７から後退して遊技に支障にならない状態の保留部５０に例えば５個の遊技球Ｂａを保留しつつ、当該遊技球Ｂａを放出規制弁５５の作動で入賞口４８に向け一斉に放出して入賞させることができる。このため、遊技領域に備えるべき他の役物等の設置スペース、及び弾球遊技に寄与すべき遊技スペースを拡大することができると共に、例えば５個分に対応する賞球（即ち、遊技球１個に対し１０個の賞球として設定される場合には５０個の賞球）を、爽快感をもって一気に得ることができるようになる。
【００８２】
また、保留部５０が、内部に保留した遊技球Ｂａを視認可能に透過する透明部材からなり、保留部５０の前側に、当該保留部５０を視認可能に透過する透明板４６が配置されるので、遊技中、遊技者は透明板４６を通して、内部を透過させている保留部５０内の遊技球Ｂａを視認しつつ、或るタイミングで一斉に放出されて入賞する遊技球Ｂａを見ながら爽快感を得ることができる。これにより、遊技上の興趣が大幅に向上することになる。
【００８３】
更に、保留装置２５が、遊技盤７に露出した形で保留部５０に連通する開口部５７と、該開口部５７を開閉させる蓋体５３とを備えるので、蓋体５３の開閉動作を適時制御するだけで、開口部５７から遊技球Ｂａを容易に保留部５０に導き、例えば５個の遊技球Ｂａを容易に収容することができる。  
【００８４】
ついで、前述した第１の実施形態に対して変更を加えた第２の実施形態について、図８及び図９を参照して説明する。なお、本第２の実施形態は、図１ないし図７に示した第１の実施形態に比し、スルーゲート６０を配設した点が異なるだけで他の部分は略々同一であるため、主要部分に同一符号を付してその説明を省略する。
【００８５】
すなわち、図８に示すように、本実施形態のパチンコ機１は、遊技盤７における入賞口２７と入賞口２９との間に、遊技盤７に打ち出された遊技球Ｂａを通過させ得るスルーゲート６０を備えている。このスルーゲート６０は、上部に植設される複数の障害釘（図示せず）によって、入賞確率の低い状態（入賞困難な状態）に設定されている。
【００８６】
本実施形態における主基板３０は更に、スルーゲート６０での遊技球通過を契機として放出規制弁５５を開放させるべく、規制弁開閉ソレノイド４０に向けて駆動信号を出力させるように作動制御手段３７に指令する規制弁制御手段（規制部材制御手段）６１を備えている。また、主基板３０には、スルーゲート６０への遊技球通過を検知して、その検知信号を規制弁制御手段６１に送るゲート通過検知センサ６０ａが接続されている。
【００８７】
以上の構成を備えた本実施形態によると、遊技中、遊技領域７ａに打ち出された遊技球Ｂａのスルーゲート６０での通過をゲート通過検知センサ６０ａが検知し、その検知信号に基づく規制弁制御手段６１が、規制弁開閉ソレノイド４０を駆動させるための駆動信号を出力させるように遊技制御手段３５に指令を送るので、前述した第１実施形態による効果に加えて、以下のような効果を奏することができる。
【００８８】
つまり、遊技者による所謂止め打ちを回避して、遊技場（ホール）での稼働が低下するデメリットを可及的に抑えることができる。これは即ち、保留装置２５が無い従来タイプの第１種特別電動役物にあっては、大当たり抽選に寄与する保留球が一杯になった時点でそれ以上の打ち出しを止める所謂止め打ちが一般的に行われているが、保留球が一杯になった状態であっても遊技者はスルーゲート６０を狙って打ち出しを続けるようになるからである。
【００８９】
以上、本発明をその好適な実施の形態に基づいて説明したが、本発明の遊技機及びその遊技盤は、上記実施形態の構成にのみ限定されるものではなく、上記実施形態の構成から種々の修正及び変更を施した遊技機及びその遊技盤も、本発明の範囲に含まれる。
【図面の簡単な説明】
【００９０】
【図１】本発明の第１の実施形態におけるパチンコ機の外部構造を示す正面図である。
【図２】本パチンコ機から遊技盤を単体で分離した状態で示す正面図である。
【図３】遊技盤に備えた保留装置を拡大して示す正面図である。
【図４】遊技盤に埋め込まれた形の保留装置を示す側面断面図である。
【図５】遊技球放出状態の保留装置を示す側面断面図である。
【図６】本パチンコ機の制御系を示すブロック図である。
【図７】本パチンコ機による作動を説明するためのフローチャートである。
【図８】本発明に係る第２の実施形態におけるパチンコ機の外部構造を示す正面図である。
【図９】第２の実施形態におけるパチンコ機の制御系を示すブロック図である。
【符号の説明】
【００９１】
１：パチンコ機（遊技機）
７：遊技盤
７ａ：遊技領域
１６：始動入賞口
２５：保留装置
４６：透明板
４７：図柄表示装置
４８：入賞口
５３：蓋体
５５：放出規制弁（放出規制部材）
５７：開口部
６０：スルーゲート
６１：規制弁制御手段（規制部材制御手段）
Ｂａ：遊技球
【図１】
2006109973.tif 000003
【図２】
2006109973.tif 000004
【図３】
2006109973.tif 000005
【図４】
2006109973.tif 000006
【図５】
2006109973.tif 000007
【図６】
2006109973.tif 000008
【図７】
2006109973.tif 000009
【図８】
2006109973.tif 000010
【図９】
2006109973.tif 000011